(57)【要約】【課題】便器の製造のバラツキがあっても、第１ベース部の第１係合部を第２ベースの第２係合部に係合できる便座装置を提供すること。【解決手段】機能部５を支持すると共に第１係合部４１を有する第１ベース部２０と、第１ベース部２０の下方に配置され、便器３に取り付け可能であって、第１係合部４１に係合可能な第２係合部７１２を有する第２ベース部７０と、第２ベース部７０を貫通して形成される貫通穴７１１に配置され、第２ベース部７０を便器３に固定するボルト部８５０を有する一対の軸部材８５と、を備える便座装置２であって、ボルト部８５０は、第２ベース部７０における貫通穴７１１の外側の部分を便器３側に押圧する。【選択図】図６
2018086069.tif 000002
【特許請求の範囲】
【請求項１】
機能部を支持すると共に第１係合部を有する第１ベース部と、
前記第１ベース部の下方に配置され、便器に取り付け可能であって、前記第１係合部に係合可能な第２係合部を有する第２ベース部と、
前記第２ベース部を貫通して形成される貫通穴に配置され、前記第２ベース部を前記便器に固定するボルト部を有する一対の軸部材と、を備える便座装置であって、
前記ボルト部は、前記第２ベース部における前記貫通穴の外側の部分を前記便器側に押圧する便座装置。
【請求項２】
前記ボルト部の上部に形成されるフランジ部と前記第２ベース部における前記貫通穴の外側の部分との間に介在して配置される押圧部材を更に備え、
前記ボルト部は、該ボルト部の前記フランジ部により前記押圧部材を押圧することで、前記第２ベース部における前記貫通穴の外側の部分を前記便器側に押圧する請求項１に記載の便座装置。
【請求項３】
前記第２ベース部における前記押圧部材が押圧する部分において、前記押圧部材が配置される面と反対側の面に取り付けられる受け部材を更に備える請求項２に記載の便座装置。
【請求項４】
前記第２ベース部の前記貫通穴よりも外側において、前記第１ベース部と前記第２ベース部との間に配置されるクッション部材を更に備える請求項１から３のいずれかに記載の便座装置。
【請求項５】
前記クッション部材は、前記第１ベース部における前記第２ベース部側の面に取り付けられて配置される請求項４に記載の便座装置。
【請求項６】
前記第１ベース部は、前記軸部材を前記第１ベース部に取り付ける場合の前記便器への前後方向の取り付け位置を表示する第１目盛り部を有し、
前記第２ベース部は、前記軸部材を前記第２ベース部に取り付ける場合の前記便器への前後方向の取り付け位置を表示する第２目盛り部を有する請求項１から５のいずれかに記載の便座装置。
【請求項７】
前記便座装置は、前記機能部を便器に対して昇降させる昇降装置を備え、
前記昇降装置は、前記便器に固定される前記第２ベース部と、前記便器に対して高さ方向に移動可能に構成される前記第１ベース部と、を備える請求項１から６のいずれかに記載の便座装置。
【発明の詳細な説明】
【技術分野】
【０００１】
本発明は、便座装置に関する。
【背景技術】
【０００２】
従来、機能部を便器に対して昇降させる昇降装置を有する便座装置が知られている（例えば、特許文献１参照）。特許文献１に記載の便座装置は、便器に固定される下プレートと、機能部を支持すると共に下プレートに対して昇降する上プレートと、上プレートを上方に向けて付勢する弾性部材と、を備える。下プレートは、下プレート係合部を有する。上プレートは、下プレート係合部に係合すると共に爪部材で構成される上プレート係合部を有する。
【０００３】
特許文献１に記載の便座装置においては、上プレートの下降時に、下プレート係合部に上プレート係合部を係合させることで、下プレートに上プレートをロックさせている。また、下プレートと上プレートとのロック状態から、下プレート係合部から上プレート係合部の係合を解除することで、下プレートと上プレートとのロックを解除して、上プレートに弾性部材の弾性力を作用させて上プレートを上方側に移動させている。
【先行技術文献】
【特許文献】
【０００４】
【特許文献１】特許第５６５７３３０号公報
【発明の概要】
【発明が解決しようとする課題】
【０００５】
ところで、便座装置を便器に取り付ける場合に、便器は陶器で形成されるため、便器の上面が製造のバラツキにより窪んで形成されることがある。このような場合に、下プレートが便器の上面に配置されるため、下プレートが便器の上面の窪みにより傾いて配置されることがある。そのため、上プレートを下プレートにロックさせようとしても、上プレート係合部の爪部材が下プレート係合部に引っ掛かることができずに、下プレートに上プレートをロックできないことがあった。従って、便器の製造のバラツキがあっても、上プレート（第１ベース部）の係合部（第１係合部）を下プレート（第２ベース部）の係合部（第２係合部）に係合できることが望まれる。
【０００６】
本発明は、便器の製造のバラツキがあっても、第１ベース部の第１係合部を第２ベースの第２係合部に係合できる便座装置を提供することを目的とする。
【課題を解決するための手段】
【０００７】
本発明は、機能部を支持すると共に第１係合部を有する第１ベース部と、前記第１ベース部の下方に配置され、便器に取り付け可能であって、前記第１係合部に係合可能な第２係合部を有する第２ベース部と、前記第２ベース部を貫通して形成される貫通穴に配置され、前記第２ベース部を前記便器に固定するボルト部を有する一対の軸部材と、を備える便座装置であって、前記ボルト部は、前記第２ベース部における前記貫通穴の外側の部分を前記便器側に押圧する便座装置に関する。
【０００８】
また、前記ボルト部の上部に形成されるフランジ部と前記第２ベース部における前記貫通穴の外側の部分との間に介在して配置される押圧部材を更に備え、前記ボルト部は、該ボルト部の前記フランジ部により前記押圧部材を押圧することで、前記第２ベース部における前記貫通穴の外側の部分を前記便器側に押圧することが好ましい。
【０００９】
また、前記第２ベース部における前記押圧部材が押圧する部分において、前記押圧部材が配置される面と反対側の面に取り付けられる受け部材を更に備えることが好ましい。
【００１０】
また、前記第２ベース部の前記貫通穴よりも外側において、前記第１ベース部と前記第２ベース部との間に配置されるクッション部材を更に備えることが好ましい。
【００１１】
また、前記クッション部材は、前記第１ベース部における前記第２ベース部側の面に取り付けられて配置されることが好ましい。
【００１２】
また、前記第１ベース部は、前記軸部材を前記第１ベース部に取り付ける場合の前記便器への前後方向の取り付け位置を表示する第１目盛り部を有し、前記第２ベース部は、前記軸部材を前記第２ベース部に取り付ける場合の前記便器への前後方向の取り付け位置を表示する第２目盛り部を有することが好ましい。
【００１３】
また、前記便座装置は、前記機能部を便器に対して昇降させる昇降装置を備え、前記昇降装置は、前記便器に固定される前記第２ベース部と、前記便器に対して高さ方向に移動可能に構成される前記第１ベース部と、を備えることが好ましい。
【発明の効果】
【００１４】
本発明によれば、便器の製造のバラツキがあっても、第１ベース部の第１係合部を第２ベースの第２係合部に係合させることができる便座装置を提供することができる。
【図面の簡単な説明】
【００１５】
【図１】本発明の一実施形態に係る便座装置が便器に取り付けられた状態を示す側面図である。
【図２】本発明の一実施形態に係る便座装置を便器に取り付ける際の状態を示す斜視図である。
【図３】上昇位置に位置する昇降装置を上方側から見た場合の斜視図である。
【図４】上昇位置に位置する昇降装置を下方側から見た場合の斜視図である。
【図５】昇降装置の部分拡大図であって、上プレートに設けられた上プレート側目盛り部と、下プレートに設けられた下プレート側目盛り部と、を表示した部分を拡大した斜視図である。
【図６】図２のＡ−Ａ線断面図である。
【発明を実施するための形態】
【００１６】
以下、本発明の便座装置２を含む便器装置１の一実施形態について、図面を参照しながら説明する。図１は、本発明の一実施形態に係る便座装置２が便器３に取り付けられた状態を示す側面図である。図２は、本発明の一実施形態に係る便座装置２を便器３に取り付ける際の状態を示す斜視図である。図３は、上昇位置に位置する昇降装置１０を上方側から見た場合の斜視図である。図４は、上昇位置に位置する昇降装置１０を下方側から見た場合の斜視図である。図５は、昇降装置の部分拡大図であって、上プレートに設けられた上プレート側目盛り部と、下プレートに設けられた下プレート側目盛り部と、を表示した部分を拡大した斜視図である。図６は、図２のＡ−Ａ線断面図である。
なお、以下の説明においては、便器装置１の便座４ａに座った人から視た場合の前後の向きを前後方向とする。また、便器装置１の便座４ａに座った人から視た場合の左右の向きを左右方向とする。また、鉛直方向に沿った上下の向きを上下方向又は高さ方向とする。
【００１７】
本実施形態の便器装置１は、図１及び図２に示すように、便座装置２と、便器３と、を備える。便座装置２は、便座４ａと、便蓋４ｂと、機能部５と、昇降操作レバー部材６と、昇降装置１０と、を備える。便座装置２は、便器３に取り付け可能である。本実施形態においては、便器３は、例えば、陶器製である。便座４ａ及び便蓋４ｂは、便器３の上方において、便器３に対して回動可能に取り付けられる。
【００１８】
機能部５は、便器３の後部の上面に配置される。機能部５は、例えば、便座４ａを温める等の各種機能を実行する制御機構（図示せず）や局部洗浄装置（図示せず）が、ケーシング５ａの内部に収容されて構成される。機能部５は、便座４ａ及び便蓋４ｂを回動自在に軸支する。
【００１９】
昇降操作レバー部材６は、図２に示すように、ケーシング５ａの下部に取り付けられる。昇降操作レバー部材６は、左右方向に延び且つ左右方向に往復移動するレバー本体部６ａと、便座装置２を便器３の上面３ａに取り付けた状態で機能部５の右側面に露出する操作部６ｂと、解除用爪部６ｃと、を有する。
【００２０】
レバー本体部６ａは、機能部５のケーシング５ａの下面に沿って配置されている。
操作部６ｂは、レバー本体部６ａの一端部側に形成されている。
解除用爪部６ｃは、レバー本体部６ａから下方に突出して形成されている。解除用爪部６ｃは、レバー本体部６ａの往復移動に伴い第１位置（操作部６ｂが引き出される前の定位置）と第２位置（操作部６ｂが引き出された位置）との間を往復移動する。
【００２１】
レバー本体部６ａには、解除用爪部６ｃが第１位置に配置される方向に、弾性力を付与する圧縮コイルバネ（図示せず）が取り付けられている。圧縮コイルバネ（図示せず）の弾性力により解除用爪部６ｃが第１位置に配置されると、操作部６ｂは、その外側面が機能部５の右側面と面一になる位置に配置される。圧縮コイルバネ（図示せず）の弾性力に抗して、操作部６ｂを機能部５の右側面から外側に引き出されることで、解除用爪部６ｃを第１位置から第２位置に移動させることができる。
【００２２】
次に、昇降装置１０について説明する。
昇降装置１０は、機能部５を便器３に対して昇降させる。昇降装置１０は、機能部５を、上昇前の定位置（図１）又は上昇後の上昇位置に移動可能である。昇降装置１０は、図２に示すように、便器３の上面３ａに取り付けられる。昇降装置１０は、図３及び図４に示すように、機能部５を支持する上部構成体２０（第１ベース部）と、下プレート７０（第２ベース部）と、一対の伸縮軸機構部８５，８５（軸部材）と、一対の押圧部材６０，６０と、を備える。
【００２３】
上部構成体２０は、便器３及び便器３に固定された下プレート７０に対して高さ方向に移動可能に構成される。上部構成体２０は、図３及び図４に示すように、上プレート３０と、スライドばね部材（図示せず）と、スライド部４０と、カバー部材５０と、クッション部材５５と、を有する。
【００２４】
上プレート３０は、図３及び図４に示すように、左右方向に略水平に延びる板状に形成される。上プレート３０は、左右方向の略中央において前方側から後方側に窪む形状に形成される。上プレート３０は、一対の上プレート貫通長穴３１，３１と、挿入開口３２と、上プレート側目盛り部１１（第１目盛り部）と、を備える。
【００２５】
一対の上プレート貫通長穴３１，３１は、上プレート３０において、左右方向に離間して形成され、前後方向に長穴状に延びる。一対の上プレート貫通長穴３１，３１には、後述する伸縮軸機構部８５の上部ねじ構成部８０１が貫通して配置される。また、一対の上プレート貫通長穴３１，３１の水平方向の内側には、上部ねじ構成部８０１の頭部の下部に配置される上面側支持板８０２が配置される。
【００２６】
上面側支持板８０２は、図５に示すように、平面視で方形状の板部材により形成される。上面側支持板８０２は、上部ねじ構成部８０１の頭部とカバー部材５０との間に配置される。上面側支持板８０２には、上部ねじ構成部８０１の胴部が貫通されており、上面側支持板８０２は、上部ねじ構成部８０１の頭部を下方から支持する。
【００２７】
上面側支持板８０２における左右方向に離間すると共に前後方向に沿って延びて対向する一対の辺には、上面側支持板８０２の外方に突出する４つの位置決め突起８０２ａが形成されている。４つの位置決め突起８０２ａは、一辺側に２つ配置され、他辺側に２つ配置されている。
【００２８】
上プレート３０における上プレート貫通長穴３１の前後方向に延びる一対の縁部には、図５に示すように、それぞれ、上プレート側係合凹凸縁部３１ａが形成される。上プレート側係合凹凸縁部３１ａには、伸縮軸機構部８５（後述）の上部ねじ構成部８０１を支持する上面側支持板８０２の４つの位置決め突起８０２ａを、前後方向の位置を調整して係合させることが可能である。これにより、上プレート側係合凹凸縁部３１ａに対する位置決め突起８０２ａの前後方向の係合位置を調整できる。よって、便器３の設置時に、伸縮軸機構部８５に対する上部構成体２０（上プレート３０）の前後方向の位置を調整可能である。
【００２９】
上プレート側目盛り部１１は、後述する伸縮軸機構部８５を上部構成体２０に取り付ける場合の便器３への前後方向の取り付け位置を表示する。本実施形態では、上プレート側目盛り部１１は、上プレート３０における上プレート貫通長穴３１の外側の辺に沿って形成されている。本実施形態においては、図５に示すように、上プレート側目盛り部１１は、上プレート３０における上プレート貫通長穴３１の外側の辺に沿って前後方向に並んで目盛りが表示されていると共に、上プレート側目盛り部１１の近傍には、「Ａ」、「Ｂ」と記載された前後方向の特定位置を示す記号が表示されている。
【００３０】
挿入開口３２は、図３に示すように、上プレート３０において、後方側の中央寄りに形成されている。挿入開口３２は、上プレート３０を厚さ方向に貫通している。挿入開口３２には、昇降操作レバー部材６の解除用爪部６ｃ（図２参照）が挿入される。挿入開口３２の下方には、後述するスライド部４０の（後述）の操作端部４２が配置される。
【００３１】
スライド部４０は、図３及び図４に示すように、上プレート３０の下方において、上プレート３０とカバー部材５０との間に配置される。スライド部４０は、左右方向に移動可能であり、下プレート７０に上部構成体２０を係合させてロックするロック位置と、下プレート７０に上部構成体２０が係合しない非ロック位置と、に移動可能である。
【００３２】
スライド部４０は、前方側が開放した平面視で略Ｕ字状に形成される。スライド部４０は、図４に示すように、操作端部４２と、３つのスライド部側係合部４１，４１，４１（第１係合部）と、を有する。
【００３３】
操作端部４２は、スライド部４０の上方側に突出して形成されている。操作端部４２には、挿入開口３２に挿通される昇降操作レバー部材６の解除用爪部６ｃ（図２参照）が当接する。スライド部４０がスライドばね部材（図示せず）により左右方向の一方側（図３における右側）に付勢されているため、操作端部４２は、昇降操作レバー部材６の解除用爪部６ｃに向けて付勢される。
【００３４】
３つのスライド部側係合部４１，４１，４１は、図４に示すように、スライド部４０の下方側に突出して形成されている。３つのスライド部側係合部４１，４１，４１は、それぞれ、昇降装置１０が定位置に位置する場合に、後述する下プレート７０の下プレート側係合部７１２（第２係合部）に係合する。また、スライド部４０がスライドばね部材（図示せず）の付勢力に抗して移動されると、３つのスライド部側係合部４１，４１，４１が左右方向の他方側に移動されて、スライド部側係合部４１及び下プレート７０の下プレート側係合部７１２の係合が解除される。
【００３５】
カバー部材５０は、図４に示すように、左右方向に略水平に延びる１枚の金属板により左右対称に形成される。カバー部材５０は、左右方向の略中央において前方側から後方側に窪む形状に形成される。カバー部材５０は、スライド部４０の下方に配置される。カバー部材５０は、上プレート３０とカバー部材５０との間にスライド部４０及びレバー用圧縮ばね部材（図示せず）が配置された状態で、複数のねじ部材（図示せず）により、上プレート３０に固定される。
【００３６】
カバー部材５０は、一対のカバー部材貫通長穴５１，５１を有する。
一対のカバー部材貫通長穴５１，５１は、図３及び図４に示すように、カバー部材５０において、左右方向に離間して形成され、前後方向に長穴状に延びる。一対のカバー部材貫通長穴５１，５１には、後述する伸縮軸機構部８５の上部ねじ構成部８０１が貫通して配置される。上部ねじ構成部８０１がカバー部材貫通長穴５１に貫通して配置された状態で、カバー部材５０は、上下において、上面側支持板８０２と下面側支持筒８０３とに挟まれている。
【００３７】
一対のクッション部材５５，５５は、図４及び図６に示すように、それぞれ、上部構成体２０と下プレート７０との間に配置されている。一対のクッション部材５５，５５は、後述する下プレート７０（第２ベース部）の下プレート貫通長穴７１１よりも外側において、カバー部材５０の下面（上部構成体２０における下プレート７０側の面）に貼り付けられている（取り付けられている）。クッション部材５５は、押圧されることで、弾性反発力を発生する部材である。クッション部材５５としては、例えば、発泡性スポンジなどが挙げられる。本実施形態においては、クッション部材５５として、例えば、ＥＰＤＭ（エチレン・プロピレン・ジエンゴム）の発泡体を用いている。
【００３８】
クッション部材５５は、昇降装置１０が定位置に位置する場合に、上部構成体２０と下プレート７０とに挟まれて押圧されることで、弾性反発力を有した状態で押圧される。これにより、上部構成体２０と下プレート７０とのガタツキを低減できる。
【００３９】
下プレート７０は、図３及び図４に示すように、上部構成体２０の下方に配置され、便器３に取り付け可能である。本実施形態においては、下プレート７０は、伸縮軸機構部８５を介して、便器３の上面３ａ（図２参照）に固定される。
【００４０】
下プレート７０は、図３及び図４に示すように、左右方向に略水平に延びる左右対称の板状に形成される。下プレート７０は、左右方向の略中央において前方側から後方側に窪むと共に後方側から前方側に窪む形状に形成される。下プレート７０は、一対の下プレート貫通長穴７１１，７１１（貫通穴）と、３つの下プレート側係合部７１２，７１２，７１２（第２係合部）と、下プレート側目盛り部１２（第２目盛り部）と、を備える。
【００４１】
３つの下プレート側係合部７１２，７１２，７１２は、それぞれ、スライド部４０のスライド部側係合部４１，４１，４１に係合可能である。下プレート７０の３つの下プレート側係合部７１２，７１２，７１２及びスライド部４０のスライド部側係合部４１，４１，４１は、上部構成体２０と下プレート７０とを係合させるロック部を構成する。
【００４２】
一対の下プレート貫通長穴７１１，７１１は、図３及び図４に示すように、下プレート７０において、３つの下プレート側係合部７１２，７１２，７１２の外側において、左右方向に離間して形成され、前後方向に長穴状に延びる。一対の下プレート貫通長穴７１１，７１１は、下プレート７０を貫通して形成される。一対の下プレート貫通長穴７１１，７１１には、後述する伸縮軸機構部８５が貫通して配置される。
【００４３】
下プレート７０における一対の下プレート貫通長穴７１１，７１１の外側において前後方向に沿って延びて形成される一方の縁部には、図５に示すように、下プレート側係合凹凸縁部７１１ａが形成される。下プレート側係合凹凸縁部７１１ａには、伸縮軸機構部８５（後述）のボルト部８５０が貫通された押圧部材６０の下プレート側位置決め突起６１ａ（後述）を、前後方向の位置を調整して係合させることが可能である。これにより、下プレート側係合凹凸縁部７１１ａに対する下プレート側位置決め突起６１ａの前後方向の係合位置を調整できる。よって、便器３の設置時に、伸縮軸機構部８５に対する下プレート７０の前後方向の位置を調整可能である。
【００４４】
下プレート側目盛り部１２は、後述する伸縮軸機構部８５を下プレート７０に取り付ける場合の便器３への前後方向の取り付け位置を表示する。本実施形態では、下プレート側目盛り部１２は、下プレート７０における一対の下プレート貫通長穴７１１，７１１の外側の辺に沿って形成されている。本実施形態においては、図５に示すように、下プレート側目盛り部１２は、下プレート７０における下プレート貫通長穴７１１の外側の辺に沿って前後方向に並んで目盛りが表示されていると共に、下プレート側目盛り部１２の近傍には、「Ａ」、「Ｂ」と記載された前後方向の特定位置を示す記号が表示されている。
【００４５】
一対の押圧部材６０，６０は、図３及び図６に示すように、それぞれ、後述するボルト部８５０のフランジ部８５２と、下プレート７０における一対の下プレート貫通長穴７１１，７１１の外側の部分と、の間に介在して配置される。一対の押圧部材６０，６０は、後述するボルト部８５０のフランジ部８５２により押圧されることで、下プレート７０における一対の下プレート貫通長穴７１１，７１１の左右方向（一対の下プレート貫通長穴７１１，７１１が並んだ方向）の外側の部分を下方に押圧する。
【００４６】
本実施形態においては、下プレート７０における一対の下プレート貫通長穴７１１，７１１の外側の部分とは、下プレート７０における左右方向（一対の下プレート貫通長穴７１１，７１１が並んだ方向）において、下プレート７０における一対の下プレート貫通長穴７１１，７１１の互いの内側とは反対側の外側の部分をいう。言い換えると、下プレート７０における一対の下プレート貫通長穴７１１，７１１が並んだ左右方向において、一対の下プレート貫通長穴７１１，７１１における互いに近い側の縁部が、下プレート貫通長穴７１１の内側の部分であり、一対の下プレート貫通長穴７１１，７１１における互いから遠い側の縁部が、下プレート貫通長穴７１１の外側の部分である。
【００４７】
一対の押圧部材６０，６０の一部は、それぞれ、下プレート貫通長穴７１１に配置される。一対の押圧部材６０，６０は、それぞれ、フランジ支持板６１と、外側立ち上がり壁６２と、押圧片６３と、内側立ち上がり壁６４と、を有する。
【００４８】
フランジ支持板６１は、下プレート貫通長穴７１１の水平方向の内側に配置されている。フランジ支持板６１は、平面視で外形が方形状で形成され、円形状の貫通開口６１ｂ（図６参照）を有する板状に形成される。フランジ支持板６１の貫通開口６１ｂには、後述するボルト部８５０の外筒部８５１が貫通して配置されている。フランジ支持板６１の上面における貫通開口６１ｂの内周縁には、ボルト部８５０のフランジ部８５２の下面が当接する。フランジ支持板６１は、ボルト部８５０のフランジ部８５２を下面側から支持する。
【００４９】
フランジ支持板６１の外側に形成される前後方向に延びる辺には、図５に示すように、外側に突出する１つの下プレート側位置決め突起６１ａが形成される。下プレート側位置決め突起６１ａは、前述の通り、下プレート７０の下プレート側係合凹凸縁部７１１ａに係合可能である。
【００５０】
外側立ち上がり壁６２は、図６に示すように、フランジ支持板６１の外側の端部から上方側に立ち上がる。
【００５１】
押圧片６３は、外側立ち上がり壁６２の上端部から外側に延びる。押圧片６３の外側の先端部には、下方に突出する押圧凸部６３ａが形成される。押圧凸部６３ａは、下プレート７０における下プレート貫通長穴７１１の外側の部分に当接する。押圧凸部６３ａは、下プレート７０を便器３にボルト部８５０で固定する場合に、ボルト部８５０のフランジ部８５２がフランジ支持板６１を押圧することで、下プレート７０における下プレート貫通長穴７１１の外側の部分に押圧される。
【００５２】
内側立ち上がり壁６４は、フランジ支持板６１の内側の端部から上方側に立ち上がる。内側立ち上がり壁６４の上端部には、内側に突出する仮止用突起６４ａが形成される。仮止用突起６４ａは、内側立ち上がり壁６４の上端部に配置され、下プレート７０の上面から上方に離間した位置に配置される。
【００５３】
仮止用突起６４ａは、下プレート貫通長穴７１１に押圧部材６０を配置する際に、下プレート貫通長穴７１１から押圧部材６０が脱落しないように、下プレート貫通長穴７１１に引っ掛かけられて、押圧部材６０を下プレート貫通長穴７１１に仮り止めするための突起である。便器３に昇降装置１０が取り付けられた状態において、仮止用突起６４ａは、図６に示すように、下プレート７０の上面から上方側に離間して配置されている。よって、便器３に昇降装置１０が取り付けられた状態において、仮止用突起６４ａは、下プレート７０における下プレート貫通長穴７１１の内側の部分を押圧しない。
【００５４】
押圧部材６０の下面には、環状受け部材６０１が取り付けられている。環状受け部材６０１は、例えば、樹脂製の部材で構成される。環状受け部材６０１は、下プレート７０を便器３に固定した場合に、便器３の上面３ａが窪んでいる場合においても、便器３と押圧部材６０との間のガタツキを低減することができる。
【００５５】
下プレート７０の下面には、一対の押圧受け部材７０１，７０１（受け部材）が貼り付けられている（取り付けられている）。一対の押圧受け部材７０１，７０１は、左右方向に離間して配置され、それぞれ、下プレート７０の押圧部材６０が押圧する部分における下プレート７０の下面（押圧部材６０が配置される面と反対の面）に配置される。押圧受け部材７０１は、下プレート７０への押圧部材６０の押圧力を下プレート７０の下方で受ける受け部材としての機能と、下プレート７０の滑りを抑制する滑り止めとしての機能とを有する。押圧受け部材７０１としては、例えば、樹脂製の部材で構成される。押圧受け部材７０１として、例えば、パッキンやガスケットなどを用いてもよい。
【００５６】
一対の伸縮軸機構部８５，８５は、図３及び図４に示すように、上下方向に延び、かつ、上下方向に伸縮するように構成される。
一対の伸縮軸機構部８５，８５は、カバー部材５０の一対のカバー部材貫通長穴５１，５１が左右方向に並ぶ間隔と同じ間隔で、左右方向に離間して並んで配置される。一対の伸縮軸機構部８５，８５は、上部構成体２０との接続において、上面側支持板８０２と下面側支持筒８０３とに挟まれた状態で、カバー部材５０の一対のカバー部材貫通長穴５１，５１の周縁に取り付けられる。
【００５７】
一対の伸縮軸機構部８５は、それぞれ、下プレート７０の一対の下プレート貫通長穴７１１，７１１を貫通して配置され、便器３における上下方向に延びる取付穴（図示せず）に挿通されて、下部において、ナット１０ａにより、便器３に固定される（図１及び図２参照）。
【００５８】
伸縮軸機構部８５は、図３及び図４に示すように、上部ねじ構成部８０１と、上下方向に延びると共に外周面にねじ山が刻まれた円筒状の外筒部８５１と、外筒部８５１の上部に形成され平面視で方形状のフランジ部８５２と、外筒部８５１の内部に挿脱可能であると共に上下方向に延びる内筒部８５３と、圧縮ばね部材（図示せず）と、を含んで構成される。
【００５９】
外筒部８５１及びフランジ部８５２は、ボルト部８５０を構成する。ボルト部８５０は、下プレート７０を、便器３に固定することができる。
ボルト部８５０により、下プレート７０を便器３に固定する場合には、一対の伸縮軸機構部８５，８５の外筒部８５１を、便器３の取付穴（図示せず）に挿入して、伸縮軸機構部８５の外筒部８５１の下端部から、伸縮軸機構部８５のボルト部８５０の外筒部８５１にナット１０ａ（図１及び図２参照）を取り付ける。これにより、ボルト部８５０のフランジ部８５２とナット１０ａとにより上下方向において便器３を挟むことで、昇降装置１０を、便器３に固定する。一対の伸縮軸機構部８５，８５は、昇降装置１０の定位置において短縮され、昇降装置１０の上昇位置において伸長される。
【００６０】
以上のように構成される昇降装置１０を便器３に取り付ける際には、上部構成体２０の前後方向の位置を調整するために、上部構成体２０の前後方向の位置を、上プレート側目盛り部１１の表示を目印として調整して、上面側支持板８０２の４つの位置決め突起８０２ａを、上プレート３０の上プレート側係合凹凸縁部３１ａに係合させる。
また、下プレート７０の前後方向の位置を調整するために、下プレート７０の前後方向の位置を、下プレート側目盛り部１２の表示を目印として調整して、押圧部材６０の下プレート側位置決め突起６１ａを、下プレート７０の下プレート側係合凹凸縁部７１１ａに係合させる。
このように、上プレート３０に上プレート側目盛り部１１が表示され、下プレート７０に下プレート側目盛り部１２が表示されているため、上プレート３０（上部構成体２０）と、下プレート７０とにおいて、前後方向の位置の調整を細かく行うことができる（微調整もできる）。
【００６１】
また、昇降装置１０を便器３に取り付けた場合には、ボルト部８５０により、下プレート７０を便器３に固定した状態において、一対の伸縮軸機構部８５のボルト部８５０は、下プレート７０における下プレート貫通長穴７１１の外側の部分を、押圧部材６０を介して、便器３側に押圧する。一方、一対の伸縮軸機構部８５のボルト部８５０は、下プレート７０における下プレート貫通長穴７１１の内側の部分を押圧しない。
これにより、下プレート７０における下プレート貫通長穴７１１の外側の部分を押圧しても、下プレート貫通長穴７１１の内側の部分が追従して押圧されないため、下プレート７０の変形を低減できる。
【００６２】
また、下プレート７０における押圧部材６０が押圧する部分において、下プレート７０の下面（押圧部材６０が配置される面と反対側の面）には、一対の押圧受け部材７０１，７０１が取り付けられている。これにより、下プレート７０における押圧される部分を、押圧受け部材７０１によりダイレクトに受けることができるため、下プレート７０の外側の部分の変形を低減できる。また、下プレート７０における押圧部材６０が押圧する部分の下面に押圧受け部材７０１を設けることにより、押圧部材６０により下方に押圧された下プレート７０が滑ることを低減することができる。
【００６３】
また、押圧部材６０の下面には、環状受け部材６０１が取り付けられている。環状受け部材６０１は、樹脂製の部材で構成される。環状受け部材６０１は、便器３の上面３ａが窪んでいる場合においても、便器３と押圧部材６０との間のガタツキを低減することができる。
【００６４】
また、下プレート７０の下プレート貫通長穴７１１よりも外側において、上部構成体２０における下プレート７０側の面には、一対のクッション部材５５，５５が取り付けられている。これにより、昇降装置１０の上昇前の定位置（図１）にある場合において、上部構成体２０と下プレート７０との間のガタツキを、クッション部材５５により、抑制することができる。例えば、板金部材の反りなどの製造上の部品のバラツキにより発生した上部構成体２０と下プレート７０との間のガタツキを抑制することができる。
【００６５】
以上説明した本実施形態の便座装置２によれば、以下のような効果を奏する。
本実施形態の便座装置２は、機能部５を支持すると共にスライド部側係合部４１を有する上部構成体２０と、上部構成体２０の下方に配置され、便器３に取り付け可能であって、スライド部側係合部４１に係合可能な下プレート側係合部７１２を有する下プレート７０と、下プレート７０を貫通して形成される下プレート貫通長穴７１１に配置され、下プレート７０を便器３に固定するボルト部８５０を有する一対の軸部材８５と、を備える便座装置２であって、ボルト部８５０は、下プレート７０における下プレート貫通長穴７１１の外側の部分を便器３側に押圧する。
【００６６】
そのため、一対の伸縮軸機構部８５のボルト部８５０は、それぞれ、下プレート７０における下プレート貫通長穴７１１の外側の部分を便器３側に押圧する、一方、下プレート７０における下プレート貫通長穴７１１の内側の部分を押圧しない。これにより、下プレート７０における一対の下プレート貫通長穴７１１，７１１の外側の部分を押圧しても、下プレート貫通長穴７１１の内側の部分が追従して押圧されないため、下プレート７０の変形を低減できる。よって、便器３の製造のバラツキにより便器３の上面３ａが窪んで形成されていても、下プレート７０における下プレート貫通長穴７１１の外側の部分を押圧することで、上部構成体２０のスライド部側係合部４１を、下プレート７０の下プレート側係合部７１２に容易に係合できる。
【００６７】
また、本実施形態の便座装置２においては、ボルト部８５０は、ボルト部８５０のフランジ部８５２により押圧部材６０を押圧することで、下プレート７０における下プレート貫通長穴７１１の外側の部分を便器３側に押圧する。これにより、ボルト部８５０のフランジ部８５２と下プレート７０との間に押圧部材６０を介在させることで、下プレート７０における下プレート貫通長穴７１１の外側の部分を、押圧部材６０により便器３側に安定して確実に押圧することができる。
【００６８】
また、本実施形態の便座装置２は、下プレート７０における押圧部材６０が押圧する部分において、押圧部材６０が配置される面と反対側の面に取り付けられる一対の押圧受け部材７０１，７０１を備える。そのため、押圧部材６０により下方に押圧された下プレート７０を、下プレート７０の下面に配置された押圧受け部材７０１により、下プレート７０を下方から支持する。これにより、下プレート７０における押圧される部分を、押圧受け部材７０１によりダイレクトに受けることができる。これにより、下プレート７０における下プレート貫通長穴７１１の外側の部分を押圧した状態において、下プレート７０の外側の部分の変形を低減できる。
また、下プレート７０における押圧部材６０が押圧する部分の下面に押圧受け部材７０１を設けることにより、押圧部材６０により下方に押圧された下プレート７０が滑ることを低減することができる。
【００６９】
また、本実施形態の便座装置２は、下プレート７０の下プレート貫通長穴７１１よりも外側において、上部構成体２０と下プレート７０との間に配置される一対のクッション部材５５，５５を更に備える。
これにより、昇降装置１０の上昇前の定位置（図１）にある場合において、上部構成体２０と下プレート７０との間のガタツキを抑制することができる。例えば、板金部材の反りなどの製造上の部品のバラツキにより発生した上部構成体２０と下プレート７０との間のガタツキを抑制することができる。
また、クッション部材５５は、上部構成体２０におけるカバー部材５０の下面（上部構成体２０における下プレート７０側の面）に取り付けられている。そのため、便器３の上面３ａ側を清掃する際に、昇降装置１０が上昇位置に位置して上部構成体２０が上昇した場合に、クッション部材５５が清掃の邪魔になることはない。
【００７０】
また、本実施形態の便座装置２は、上部構成体２０の上プレート３０は、伸縮軸機構部８５を上プレート３０に取り付ける場合の便器３への前後方向の取り付け位置を表示する上プレート側目盛り部１１を有し、下プレート７０は、伸縮軸機構部８５を下プレート７０に取り付ける場合の便器３への前後方向の取り付け位置を表示する下プレート側目盛り部１２を有する。
これにより、上プレート３０と下プレート７０とについて、便器３への取り付け位置の前後方向の位置の調整を行うことができる。特に、前後方向の位置調整を精度よく行う場合には、上プレート側目盛り部１１又は下プレート側目盛り部１２を備えているため、前後方向の位置を簡単に精度よく調整できる。
更に、上プレート３０に上プレート側目盛り部１１を設けると共に、下プレート７０に下プレート側目盛り部１２を設けることで、そのため、便器３に配置される下プレート７０と、便器３に対して昇降する機能部５を支持する上部構成体２０とについて、互いの前後方向の位置関係の調整を簡単に行うことができる。
【００７１】
また、本実施形態の便座装置２においては、機能部５を便器３に対して昇降させる昇降装置１０を備え、昇降装置１０は、便器３に固定される下プレート７０と、便器３に対して高さ方向に移動可能に構成される上部構成体２０と、を備える。そのため、ボルト部８５０が、下プレート７０における下プレート貫通長穴７１１の外側の部分を便器３側に押圧する構造を、昇降装置１０に適用することができる。
【００７２】
以上、本発明の便座装置の好ましい一実施形態について説明したが、本発明は、上述した実施形態に制限されるものではなく、適宜変更が可能である。
例えば、前記実施形態では、ボルト部８５０のフランジ部８５２で押圧部材６０を押圧することで、下プレート７０における下プレート貫通長穴７１１の外側の部分を押圧するように構成した。しかし、これに限定されない。ボルト部８０のフランジ部８５２で下プレート７０における下プレート貫通長穴７１１の外側の部分を直接押圧するように構成してもよいし、複数の部材を介して下プレート７０における下プレート貫通長穴７１１の外側の部分を押圧するように構成してもよい。
【００７３】
前記実施形態では、下プレート７０に上部構成体２０を係合させる構成を、便器３に対して機能部５を昇降させる昇降装置１０に適用した例について説明したが、これに限定されない。例えば、下プレート７０に上部構成体２０を係合させる構成を、昇降装置を備えない便座装置に適用してもよい。
【００７４】
前記実施形態においては、昇降装置１０により上部構成体２０を上下方向に移動させて昇降させる構成としたが、これに限定されない。上部構成体の昇降には、垂直方向に対して傾斜した斜め上下方向に移動する場合や、回動して昇降する場合も含まれる。
【００７５】
前記実施形態においては、便器を陶器製としたが、これに限定されない。例えば、便器を樹脂製としてもよい。
【符号の説明】
【００７６】
２  便座装置
３  便器
５  機能部
１０  昇降装置
１１  上プレート側目盛り部（第１目盛り部）
１２  下プレート側目盛り部（第２目盛り部）
２０  上部構成体（第１ベース部）
４１  スライド部側係合部（第１係合部）
５５  クッション部材
６０  押圧部材
７０  下プレート（第２ベース部）
８５  伸縮軸機構部（軸部材）
７０１  押圧受け部材（受け部材）
７１１  下プレート貫通長穴（貫通穴）
７１２  下プレート側係合部（第２係合部）
８５０  ボルト部
８５２  フランジ部
【図１】
2018086069.tif 000003
【図２】
2018086069.tif 000004
【図３】
2018086069.tif 000005
【図４】
2018086069.tif 000006
【図５】
2018086069.tif 000007
【図６】
2018086069.tif 000008